(57)【要約】【課題】ＭＣ構造をＭＰＥ構造に適用する際に高輝度を得るための各層の膜厚の公差を簡易な設計で大きくする。【解決手段】本発明者は、ＭＣ構造をＭＰＥ構造に適用する際に高輝度を得るための各層の膜厚の公差は、第２電極１３０に近い層ほど小さくなることを見出した。ＭＣ構造において要求される精度は、各層の膜厚そのものではなく、各層の光学的距離であることを考慮すると、各層の屈折率を小さくすれば、各層の膜厚の公差を大きくすることができる。したがって、各層の膜厚の公差を大きくするためには、第２電極１３０に近い層の屈折率は、小さくする必要がある。これに対して、有機層１２０から遠い層の屈折率は、必ずしも小さくする必要はない。これによって、ＭＣ構造をＭＰＥ構造に適用する際に高輝度を得るための各層の膜厚の公差を簡易な設計で大きくすることができる。【選択図】図１
2018098024.tif 000002
【特許請求の範囲】
【請求項１】
透明反射層と、
反射層と、
前記透明反射層と前記反射層の間の有機層と、
を備え、
前記有機層は、
第１発光層と、
前記第１発光層と前記反射層の間の第２発光層と、
前記第２発光層と前記反射層の間の第１有機層と、
前記第１発光層と前記第２発光層の間の第２有機層と、
前記透明反射層と前記第１発光層の間の第３有機層と、
を含み、
前記第１有機層の屈折率は、前記第２有機層及び前記第３有機層のいずれの屈折率よりも小さい発光装置。
【請求項２】
請求項１に記載の発光装置において、
前記第２有機層の屈折率は、前記第３有機層の屈折率より小さい発光装置。
【請求項３】
請求項１又は２に記載の発光装置において、
前記第２有機層は、電荷発生層を含む発光装置。
【請求項４】
請求項１から３までのいずれか一項に記載の発光装置において、
前記有機層は、第１発光ユニットと、第２発光ユニットと、を含み、
前記第１発光ユニットは、
前記第１発光層と、
前記透明反射層と前記第１発光層の間の第１正孔輸送層と、
前記第１発光層と前記第２発光層の間の第１電子輸送層と、
を含み、
前記第２発光ユニットは、
前記第２発光層と、
前記第１電子輸送層と前記第２発光層の間の第２正孔輸送層と、
前記第２発光層と前記反射層の間の第２電子輸送層と、
を含む発光装置。
【請求項５】
請求項１から４までのいずれか一項に記載の発光装置において、
第１電極と、第２電極と、を備え、
前記有機層は、前記第１電極と前記第２電極の間に位置し、
前記第３有機層は、前記第１電極に接し、
前記第１有機層は、前記第２電極に接し、
前記第３有機層は、前記第１有機層より、正孔輸送性が高い材料を含み、
前記第１有機層は、前記第３有機層より、電子輸送性が高い材料を含む発光装置。
【請求項６】
請求項５に記載の発光装置において、
前記第１電極は、透光性を有し、
前記第２電極は、遮光性を有する発光装置。
【請求項７】
請求項５又は６に記載の発光装置において、
前記第１電極は、無機材料を含む発光装置。
【請求項８】
請求項１から７までのいずれか一項に記載の発光装置において、
前記透明反射層は、金属膜からなる発光装置。
【請求項９】
請求項８に記載の発光装置において、
前記金属膜は、５０ｎｍ以下である発光装置。
【請求項１０】
請求項１から９のいずれか一項に記載の発光装置において、
前記第１発光層と前記第２発光層は、同一の発光材料を含む発光装置。
【請求項１１】
透明反射層と、
前記透明反射層の第１面側に位置する有機層と、
前記有機層の前記透明反射層と反対側に位置する反射層と、
を備え、
前記有機層は、
前記透明反射層の前記第１面側に位置する第３有機層と、
前記第３有機層の前記透明反射層と反対側に位置する第１発光層と、
前記第１発光層の前記第３有機層と反対側に位置する第２有機層と、
前記第２有機層の前記第１発光層と反対側に位置する第２発光層と、
前記第２発光層の前記第２有機層と反対側に位置する第１有機層と、
を含み、
前記第１有機層の屈折率は、前記第２有機層及び前記第３有機層のいずれの屈折率よりも小さい発光装置。
【発明の詳細な説明】
【技術分野】
【０００１】
本発明は、発光装置に関する。
【背景技術】
【０００２】
近年、マイクロキャビティ（ＭＣ）構造を有する有機発光ダイオード（ＯＬＥＤ）が開発されている。このようなＯＬＥＤは、反射層、半透過反射層及び有機層を有している。有機層は、反射層と半透過反射層の間にあり、光を発する。有機層からの光は、反射層と半透過反射層の間で反射し、半透過反射層側から出射される。さらに、このＯＬＥＤは、反射層と半透過反射層の間の光学的距離Ｌが２Ｌ／λ＋φ／（２π）＝ｍ（ｍは整数）を満たすように構成されている（φ：反射層と半透過反射層において生じる位相シフト量、ｍ：整数）。これによって、ＯＬＥＤの分光分布は、波長λに鋭いピークを有するようになる。
【０００３】
さらに、近年、マルチフォトンエミッション（ＭＰＥ）構造を有するＯＬＥＤが開発されている。このようなＯＬＥＤは、直列に接続された複数の発光ユニットを含んでいる。隣り合う発光ユニットは、電荷発生層（ＣＧＬ）を介して電気的に接続している。ＭＰＥ構造では、直列に接続された複数の発光ユニットの両端に電圧を印加することで、各発光ユニットから光を発することができる。
【０００４】
さらに、近年、特許文献１及び２に記載されているように、ＭＣ構造及びＭＰＥ構造の双方を有するＯＬＥＤが開発されている。このようなＯＬＥＤでは、反射層と半透過反射層の間で複数の発光ユニットを直列に接続させることでＭＰＥ構造を実現し、さらに、反射層と半透過反射層の間の各層の膜厚及び屈折率を調整することでＭＣ構造を実現している。
【先行技術文献】
【特許文献】
【０００５】
【特許文献１】特開２０１３−２０６５６７号公報
【特許文献２】特開２０１６−９６１３７号公報
【発明の概要】
【発明が解決しようとする課題】
【０００６】
ＭＣ構造をＭＰＥ構造に適用する際に高輝度を得るための各層の膜厚の公差は、ＭＰＥ構造によって多くの層が存在するために、小さいものとなる。このような公差は、できる限り大きいことが望ましく、かつ公差を大きくするための設計は、できる限り簡易であることが望ましい。
【０００７】
本発明が解決しようとする課題としては、ＭＣ構造をＭＰＥ構造に適用する際に高輝度を得るための各層の膜厚の公差を簡易な設計で大きくすることが一例として挙げられる。
【課題を解決するための手段】
【０００８】
請求項１に記載の発明は、
透明反射層と、
反射層と、
前記透明反射層と前記反射層の間の有機層と、
を備え、
前記有機層は、
第１発光層と、
前記第１発光層と前記反射層の間の第２発光層と、
前記第２発光層と前記反射層の間の第１有機層と、
前記第１発光層と前記第２発光層の間の第２有機層と、
前記透明反射層と前記第１発光層の間の第３有機層と、
を含み、
前記第１有機層の屈折率は、前記第２有機層及び前記第３有機層のいずれの屈折率よりも小さい発光装置である。
【０００９】
請求項１１に記載の発明は、
透明反射層と、
前記透明反射層の第１面側に位置する有機層と、
前記有機層の前記透明反射層と反対側に位置する反射層と、
を備え、
前記有機層は、
前記透明反射層の前記第１面側に位置する第３有機層と、
前記第３有機層の前記透明反射層と反対側に位置する第１発光層と、
前記第１発光層の前記第３有機層と反対側に位置する第２有機層と、
前記第２有機層の前記第１発光層と反対側に位置する第２発光層と、
前記第２発光層の前記第２有機層と反対側に位置する第１有機層と、
を含み、
前記第１有機層の屈折率は、前記第２有機層及び前記第３有機層のいずれの屈折率よりも小さい発光装置である。
【図面の簡単な説明】
【００１０】
【図１】実施形態に係る発光装置を示す断面図である。
【図２】高輝度を得るための各層の膜厚の公差が、第２電極に近い層ほど小さくなることを説明するための図である。
【図３】図１に示した発光装置の一例のシミュレーション結果を示す図である。
【図４】実施例に係る発光装置を示す平面図である。
【図５】図４から有機層及び第２電極を取り除いた図である。
【図６】図５から絶縁層を取り除いた図である。
【図７】図４のＡ−Ａ断面図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る発光装置１０を示す断面図である。発光装置１０は、基板１００、第１電極１１０、有機層１２０、第２電極１３０及び透明反射層１４０を備えている。基板１００は、第１面１０２及び第２面１０４を有している。第２面１０４は、第１面１０２の反対側にある。第１電極１１０、有機層１２０、第２電極１３０及び透明反射層１４０は、基板１００の第１面１０２から、透明反射層１４０、第１電極１１０、有機層１２０及び第２電極１３０の順で積層されている。有機層１２０は、有機層２１２、有機層２１４、有機層２１６、発光層（ＥＭＬ）２２２及び発光層（ＥＭＬ）２２４を含んでいる。有機層２１２、有機層２１４、有機層２１６、ＥＭＬ２２２及びＥＭＬ２２４は、第１電極１１０から、有機層２１２、ＥＭＬ２２２、有機層２１４、ＥＭＬ２２４及び有機層２１６の順で積層されている。特に、有機層２１２は第１電極１１０に接しており、有機層２１６は第２電極１３０に接している。
【００１３】
発光装置１０は、マイクロキャビティ（ＭＣ）構造を有しており、波長λに鋭いピークを有する分光分布を有している。具体的には、発光装置１０は、第２電極１３０及び透明反射層１４０がＭＣ構造の反射層及び半透過反射層としてそれぞれ機能し、第２電極１３０と透明反射層１４０の間の光学的距離Ｌが以下の式（１）を満たすように構成されている。
２Ｌ／λ＋φ／（２π）＝ｍ      （１）
ただし、φは、第２電極１３０と透明反射層１４０において生じる位相シフト量を示し、ｍは、１以上の整数を示す。光学的距離Ｌは、第２電極１３０と透明反射層１４０の間の各層の屈折率及び膜厚を調整することによって最適化される。
【００１４】
発光装置１０は、マルチフォトンエミッション（ＭＰＥ）構造を有している。具体的には、発光装置１０は、直列に接続された複数の発光ユニットを備えており、特に図１に示す例では、２つの発光ユニット、すなわち、発光ユニット３１０及び発光ユニット３２０を備えている。発光ユニット３１０及び発光ユニット３２０は、電荷発生層（ＣＧＬ）３０２を介して直列に接続されている。このようにして、図１に示す例では、発光装置１０は、タンデム型構造を有している。なお、発光装置１０に含まれる発光ユニットの数は、２つ（図１）に限定されるものではなく、３つ以上であってもよい。
【００１５】
図２を用いて後述するように、本発明者は、ＭＣ構造をＭＰＥ構造に適用する際に高輝度を得るための各層の膜厚の公差は、第２電極１３０に近い層ほど小さくなることを見出した。上述した式（１）から明らかなように、ＭＣ構造において要求される精度は、各層の膜厚そのものではなく、各層の光学的距離であることを考慮すると、各層の屈折率を小さくすれば、各層の膜厚の公差を大きくすることができる。したがって、各層の膜厚の公差を大きくするためには、第２電極１３０に近い層の屈折率は、小さくする必要がある。これに対して、第２電極１３０から遠い層の屈折率は、必ずしも小さくする必要はない。これによって、ＭＣ構造をＭＰＥ構造に適用する際に高輝度を得るための各層の膜厚の公差を簡易な設計で大きくすることができる。
【００１６】
特に図１に示す例では、有機層２１６（第１有機層）の屈折率は、小さくなっており、具体的には、有機層２１４（第２有機層）及び有機層２１２（第３有機層）のいずれの屈折率よりも小さくなっている。これによって、有機層２１６の膜厚の公差を有機層２１２の膜厚の公差及び有機層２１４の膜厚の公差と同程度に大きくすることができる。
【００１７】
さらに、有機層２１４（第２有機層）の屈折率は、有機層２１６（第１有機層）の屈折率より大きく、かつ有機層２１２（第３有機層）の屈折率より小さいことが好ましい。これによって、有機層２１４の膜厚の公差を有機層２１２の膜厚の公差と同程度に大きくすることができるとともに、有機層２１４の膜厚の公差を有機層２１２の膜厚の公差及び有機層２１６の膜厚の公差とほぼ一致させることができる。
【００１８】
なお、有機層２１２の屈折率とは、有機層２１２が第１層から第ｋ層（ｋ≧２）までの複数の層（例えば、正孔注入層（ＨＩＬ）、正孔輸送層（ＨＴＬ）、電子注入層（ＥＩＬ）、電子輸送層（ＥＴＬ）又は電荷発生層（ＣＧＬ））を含んでいる場合は、
ｎ＝（ｎ１ｄ１＋ｎ２ｄ２＋・・・＋ｎｋｄｋ）／（ｄ１＋ｄ２＋・・・＋ｄｋ）
と定義することができる。ただし、ｎ１からｎｋは、第１層から第ｋ層の屈折率をそれぞれ示し、ｄ１からｄｋは、第１層から第ｋ層の膜厚をそれぞれ示す。上述した屈折率ｎは、有機層２１２が一様の屈折率ｎを有すると仮定した場合の有機層２１２の光学的距離ｎ（ｄ１＋ｄ２＋・・・ｄｋ）と、第１層から第ｋ層までの光学的距離の合計ｎ１ｄ１＋ｎ２ｄ２＋・・・＋ｎｋｄｋとを互いに等しいものとみなすことで導出することができる。
【００１９】
有機層２１４の屈折率及び有機層２１６の屈折率も、有機層２１４及び有機層２１６のそれぞれが複数の層を含んでいる場合は、有機層２１２と同様にして定義することができる。
【００２０】
なお、第１電極１１０、有機層１２０、第２電極１３０及び透明反射層１４０の層構造は、次のように理解することもできる。有機層１２０は、ＥＭＬ２２２、ＥＭＬ２２４、有機層２１６、有機層２１４及び有機層２１２を含んでいる。ＥＭＬ２２４は、ＥＭＬ２２２と第２電極１３０の間に位置している。有機層２１６は、ＥＭＬ２２４と第２電極１３０の間に位置している。有機層２１４は、ＥＭＬ２２２とＥＭＬ２２４の間に位置している。有機層２１２は、透明反射層１４０とＥＭＬ２２２の間に位置している。
【００２１】
さらに、第１電極１１０、有機層１２０、第２電極１３０及び透明反射層１４０の層構造は、次のように理解することもできる。有機層１２０は、有機層２１２、ＥＭＬ２２２、有機層２１４、ＥＭＬ２２４及び有機層２１６を含んでいる。有機層２１２は、透明反射層１４０の第１面（図１では上面）側に位置している。ＥＭＬ２２２は、有機層２１２の透明反射層１４０と反対側に位置している。有機層２１４は、ＥＭＬ２２２の有機層２１２と反対側に位置している。ＥＭＬ２２４は、有機層２１４のＥＭＬ２２２と反対側に位置している。有機層２１６は、ＥＭＬ２２４の有機層２１４と反対側に位置している。
【００２２】
次に、第１電極１１０、有機層１２０、第２電極１３０及び透明反射層１４０の詳細について説明する。
【００２３】
第１電極１１０は、透光性及び導電性を有している。具体的には、第１電極１１０は、透光性及び導電性を有する材料を含んでおり、無機材料、例えば金属酸化物、具体的には例えば、ＩＴＯ（Ｉｎｄｉｕｍ  Ｔｉｎ  Ｏｘｉｄｅ）及びＩＺＯ（Ｉｎｄｉｕｍ  Ｚｉｎｃ  Ｏｘｉｄｅ）からなる群から選択される少なくとも１つを含んでいる。このため、有機層１２０からの光は、第１電極１１０を透過することができる。
【００２４】
有機層１２０は、後述するように、ＣＧＬ３０２、発光ユニット３１０及び発光ユニット３２０を含んでいる。ＣＧＬ３０２は、発光ユニット３１０と発光ユニット３２０の間に位置している。
【００２５】
第２電極１３０は、遮光性、より具体的には光反射性を有し、さらに、導電性を有している。具体的には、第２電極１３０は、光反射性及び導電性を有する材料を含んでおり、例えば金属、具体的には例えば、Ａｌ、Ａｇ及びＭｇＡｇの少なくとも１つを含んでいる。このため、有機層１２０からの光は、第２電極１３０をほとんど透過することなく、第２電極１３０で反射される。このため、第２電極１３０は、ＭＣ構造の反射層として機能することができる。
【００２６】
透明反射層１４０は、透光性及び光反射性の双方を有している。このため、透明反射層１４０は、ＭＣ構造の半透過反射層として機能することができる。
【００２７】
一例において、透明反射層１４０は、薄い金属膜、具体的には例えばＡｇ薄膜、Ａｕ薄膜、Ａｇ合金薄膜又はＡｕ合金薄膜である。この例において、透明反射層１４０の厚さは、ある程度薄く、具体的には例えば第２電極１３０の厚さよりも薄く、より具体的には例えば５ｎｍ以上５０ｎｍ以下である。透明反射層１４０の膜厚が５０ｎｍ以下であることによって、透明反射層１４０に入射した光の一部が透明反射層１４０を透過することができる。さらに、透明反射層１４０の膜厚が５ｎｍ以上であることによって、透明反射層１４０の電気抵抗が高くなることを防ぐことができる。このようにして、透明反射層１４０は、透光性及び光反射性の双方を有している。
【００２８】
他の例において、透明反射層１４０は、交互に積層された高屈折率誘電体層及び低屈折率誘電体層を含む誘電体層であってもよい。この例においても、透明反射層１４０は、透光性及び光反射性の双方を有することができる。
【００２９】
発光ユニット３１０は、有機層２１２、ＥＭＬ２２２及び層３０４を有している。ＥＭＬ２２２は、有機層２１２から注入された正孔と層３０４から注入された電子の再結合によって光を発する。有機層２１２は、ＨＩＬ及びＨＴＬの少なくとも一方を含んでおり、言い換えると、正孔輸送性が高い材料を含んでいる。層３０４は、有機層２１４の一部であって、ＥＩＬ及びＥＴＬの少なくとも一方を含んでおり、言い換えると、電子輸送性が高い材料を含んでいる。
【００３０】
発光ユニット３２０は、層３０６、ＥＭＬ２２４及び有機層２１６を有している。ＥＭＬ２２４は、層３０６から注入された正孔と有機層２１６から注入された電子の再結合によって光を発する。ＥＭＬ２２４は、ＥＭＬ２２２と同一の発光材料を含んでいてもよいし、又はＥＭＬ２２２と異なる発光材料を含んでいてもよい。層３０６は、有機層２１４の一部であって、ＨＩＬ及びＨＴＬの少なくとも一方を含んでおり、言い換えると、正孔輸送性が高い材料を含んでいる。有機層２１６は、ＥＩＬ及びＥＴＬの少なくとも一方を含んでおり、言い換えると、電子輸送性が高い材料を含んでいる。
【００３１】
有機層２１２及び有機層２１６の上述した構成においては、有機層２１２は、有機層２１６より、正孔輸送性が高い材料を含んでおり、有機層２１６は、有機層２１２より、電子輸送性が高い材料を含んでいる。
【００３２】
図２は、高輝度を得るための各層の膜厚の公差が、第２電極１３０に近い層ほど小さくなることを説明するための図である。
【００３３】
図２では、図１に示した発光装置１０と同様の層構造を有する発光装置の輝度のシミュレーションを実施した。各層の屈折率は、以下のとおりとした。つまり、このシミュレーションでは、有機層２１２の屈折率、有機層２１４の屈折率及び有機層２１６の屈折率は、互いに等しくした。
基板１００          １．５
第１電極１１０      １．９
有機層２１２        １．８
ＥＭＬ２２２        １．８５
有機層２１４        １．８
ＥＭＬ２２４        １．８５
有機層２１６        １．８
【００３４】
図２に示すように、０．９０以上の輝度を得るための有機層の膜厚の公差は、有機層２１２、有機層２１４及び有機層２１６の順で小さくなっている。特に、０．９０以上の輝度を得るための有機層２１６の膜厚の公差は、おおよそ１３．０ｎｍとなっている。つまり、高輝度を得るための有機層の膜厚の公差は、第２電極１３０に近い有機層ほど小さくなるといえる。
【００３５】
図３は、図１に示した発光装置１０の一例のシミュレーション結果を示す図である。
【００３６】
図３のシミュレーションでは、各層の屈折率は、以下のとおりとした。つまり、このシミュレーションでは、有機層２１２の屈折率、有機層２１４の屈折率及び有機層２１６の屈折率は、有機層２１２の屈折率（１．８）、有機層２１４の屈折率（１．７）及び有機層２１６の屈折率（１．６）の順で小さくした。
基板１００          １．５
第１電極１１０      １．９
有機層２１２        １．８
ＥＭＬ２２２        １．８５
有機層２１４        １．７
ＥＭＬ２２４        １．８５
有機層２１６        １．６
【００３７】
図３に示すように、０．９０以上の輝度を得るための有機層２１６、有機層２１４及び有機層２１６のそれぞれの膜厚の公差は、互いにほぼ等しくなっており、おおよそ１４．０ｎｍとなっている。
【００３８】
図３に示す結果は、有機層２１６（第１有機層）の屈折率を有機層２１４（第２有機層）及び有機層２１２（第３有機層）のいずれの屈折率よりも小さくすれば、有機層２１６の膜厚の公差を有機層２１２の膜厚の公差及び有機層２１４の膜厚の公差と同程度に大きくすることができることを示唆する。
【００３９】
さらに、図３に示す結果は、有機層２１４（第２有機層）の屈折率を有機層２１６（第１有機層）の屈折率より大きくし、かつ有機層２１２（第３有機層）の屈折率より小さくすれば、有機層２１４の膜厚の公差を有機層２１２の膜厚の公差と同程度に大きくすることができるとともに、有機層２１４の膜厚の公差を有機層２１２の膜厚の公差及び有機層２１６の膜厚の公差とほぼ一致させることができることを示唆する。
【００４０】
以上、本実施形態によれば、ＭＣ構造をＭＰＥ構造に適用する際に高輝度を得るための各層の膜厚の公差を簡易な設計で大きくすることができる。
【実施例】
【００４１】
図４は、実施例に係る発光装置１０を示す平面図である。図５は、図４から有機層１２０及び第２電極１３０を取り除いた図である。図６は、図５から絶縁層１６０を取り除いた図である。図７は、図４のＡ−Ａ断面図である。
【００４２】
図７を用いて発光装置１０の概要について説明する。発光装置１０は、実施形態と同様にして、ＭＣ構造を有している。具体的には、発光装置１０は、第２電極１３０及び透明反射層１４０がＭＣ構造の反射層及び半透過反射層としてそれぞれ機能し、第２電極１３０と透明反射層１４０の間の光学的距離Ｌが上述した式（１）を満たすように構成されている。さらに、発光装置１０は、実施形態と同様にして、ＭＰＥ構造を有している。具体的には、発光装置１０は、直列に接続された複数の発光ユニット（例えば、図１に示した発光ユニット３１０及び発光ユニット３２０）を備えている。さらに、発光装置１０は、実施形態と同様にして、図１に示した構造を有している。
【００４３】
図１を用いて説明したように、有機層２１６（第１有機層）の屈折率は、小さくなっており、具体的には、有機層２１４（第２有機層）及び有機層２１２（第３有機層）のいずれの屈折率よりも小さくなっている。これによって、有機層２１６の膜厚の公差を有機層２１２の膜厚の公差及び有機層２１４の膜厚の公差と同程度に大きくすることができる。
【００４４】
図１を用いて説明したように、有機層２１４（第２有機層）の屈折率は、有機層２１６（第１有機層）の屈折率より大きく、かつ有機層２１２（第３有機層）の屈折率より小さいことが好ましい。これによって、有機層２１４の膜厚の公差を有機層２１２の膜厚の公差と同程度に大きくすることができるとともに、有機層２１４の膜厚の公差を有機層２１２の膜厚の公差及び有機層２１６の膜厚の公差とほぼ一致させることができる。
【００４５】
次に、図４から図６を用いて、発光装置１０の平面レイアウトの詳細について説明する。発光装置１０は、基板１００、複数の第１電極１１０、複数の第１接続部１１２、第１配線１１４、複数の有機層１２０、複数の第２電極１３０、複数の第２接続部１３２、第２配線１３４及び複数の絶縁層１６０を備えている。
【００４６】
基板１００の形状は、第１面１０２に垂直な方向から見た場合、一対の長辺及び一対の短辺を有する矩形である。ただし、基板１００の形状は、矩形に限定されるものではない。基板１００の形状は、第１面１０２に垂直な方向から見た場合、例えば円でもよいし、又は矩形以外の多角形であってもよい。
【００４７】
複数の第１電極１１０は、互いに離間して位置しており、具体的には、基板１００の長辺に沿って一列に並んでいる。複数の第１電極１１０のそれぞれは、基板１００の短辺に沿って延伸している。
【００４８】
複数の第１電極１１０のそれぞれは、複数の第１接続部１１２のそれぞれを介して、第１配線１１４に接続している。第１配線１１４は、基板１００の一対の長辺の一方に沿って延伸している。外部からの電圧は、第１配線１１４及び第１接続部１１２を介して第１電極１１０に供給される。なお、図６に示す例において、第１電極１１０及び第１接続部１１２は、互いに一体となっている。
【００４９】
複数の第２電極１３０のそれぞれは、複数の第１電極１１０のそれぞれに重なっている。複数の第２電極１３０は、互いに離間して位置しており、具体的には、基板１００の長辺に沿って一列に並んでいる。複数の第２電極１３０のそれぞれは、基板１００の短辺に沿って延伸しており、具体的には、基板１００の短辺に沿って延伸する一対の長辺及び基板１００の長辺に沿って延伸する一対の短辺を有している。
【００５０】
複数の第２電極１３０のそれぞれは、複数の第２接続部１３２のそれぞれを介して、第２配線１３４に接続している。第２配線１３４は、基板１００の一対の長辺の他方に沿って延伸している。外部からの電圧は、第２配線１３４及び第２接続部１３２を介して第２電極１３０に供給される。
【００５１】
複数の絶縁層１６０のそれぞれは、複数の第１電極１１０のそれぞれに重なっている。複数の絶縁層１６０は、互いに離間して位置しており、具体的には、基板１００の長辺に沿って一列に並んでいる。複数の絶縁層１６０のそれぞれは、基板１００の短辺に沿って延伸しており、具体的には、基板１００の短辺に沿って延伸する一対の長辺及び基板１００の長辺に沿って延伸する一対の短辺を有している。
【００５２】
複数の絶縁層１６０のそれぞれは、開口１６２を有している。図７を用いて後述するように、開口１６２内において、第１電極１１０、有機層１２０及び第２電極１３０は、発光部１５２として機能する領域を有している。言い換えると、絶縁層１６０は、発光部１５２を画定している。発光部１５２（開口１６２）は、基板１００の短辺に沿って延伸しており、具体的には、基板１００の短辺に沿って延伸する一対の長辺及び基板１００の長辺に沿って延伸する一対の短辺を有している。
【００５３】
次に、図７を用いて、発光装置１０の断面の詳細を説明する。発光装置１０は、基板１００、第１電極１１０、有機層１２０、第２電極１３０、透明反射層１４０及び絶縁層１６０を備えている。基板１００は、第１面１０２及び第２面１０４を有している。第２面１０４は、第１面１０２の反対側にある。第１電極１１０、有機層１２０、第２電極１３０、透明反射層１４０及び絶縁層１６０は、基板１００の第１面１０２上にある。絶縁層１６０の開口１６２内において、第１電極１１０、有機層１２０及び第２電極１３０は、発光部１５２として機能する領域を有している。
【００５４】
基板１００は、透光性を有している。一例において、基板１００は、ガラスを含んでいる。他の例において、基板１００は、樹脂を含んでいてもよい。
【００５５】
第１電極１１０は、透光性及び導電性を有している。具体的には、第１電極１１０は、透光性及び導電性を有する材料を含んでおり、無機材料、例えば金属酸化物、具体的には例えば、ＩＴＯ（Ｉｎｄｉｕｍ  Ｔｉｎ  Ｏｘｉｄｅ）及びＩＺＯ（Ｉｎｄｉｕｍ  Ｚｉｎｃ  Ｏｘｉｄｅ）からなる群から選択される少なくとも１つを含んでいる。このため、有機層１２０からの光は、第１電極１１０を透過することができる。
【００５６】
有機層１２０は、図１を用いて説明したように、ＣＧＬ３０２、発光ユニット３１０及び発光ユニット３２０を含んでいる。ＣＧＬ３０２は、発光ユニット３１０と発光ユニット３２０の間に位置している。
【００５７】
第２電極１３０は、遮光性、より具体的には光反射性を有し、さらに、導電性を有している。具体的には、第２電極１３０は、光反射性及び導電性を有する材料を含んでおり、例えば金属、具体的には例えば、Ａｌ、Ａｇ及びＭｇＡｇの少なくとも１つを含んでいる。このため、有機層１２０からの光は、第２電極１３０をほとんど透過することなく、第２電極１３０で反射される。このため、第２電極１３０は、ＭＣ構造の反射層として機能することができる。
【００５８】
透明反射層１４０は、透光性及び光反射性の双方を有している。このため、透明反射層１４０は、ＭＣ構造の半透過反射層として機能することができる。
【００５９】
絶縁層１６０は、透光性を有している。一例において、絶縁層１６０は、有機絶縁材料、具体的には例えばポリイミドを含んでいる。他の例において、絶縁層１６０は、無機絶縁材料、具体的には例えば、シリコン酸化物（ＳｉＯｘ）、シリコン酸窒化物（ＳｉＯＮ）又はシリコン窒化物（ＳｉＮｘ）を含んでいてもよい。
【００６０】
第２電極１３０は端部１３０ａ及び端部１３０ｂを有し、絶縁層１６０は端部１６０ａ及び端部１６０ｂを有している。端部１３０ａ及び端部１６０ａは、互いに同じ方向を向いている。端部１３０ｂ及び端部１６０ｂは、互いに同じ方向を向いており、それぞれ、端部１３０ａ及び端部１６０ａの反対側にある。
【００６１】
第１面１０２に垂直な方向から見た場合、基板１００の第１面１０２は、複数の領域１０２ａ、複数の領域１０２ｂ複数の領域１０２ｃを有している。複数の領域１０２ａのそれぞれは、第２電極１３０の端部１３０ａと重なる位置から端部１３０ｂと重なる位置まで広がっている。複数の領域１０２ｂのそれぞれは、第２電極１３０の端部１３０ａと重なる位置から絶縁層１６０の端部１６０ａと重なる位置まで（又は第２電極１３０の端部１３０ｂと重なる位置から絶縁層１６０の端部１６０ｂと重なる位置まで）広がっている。複数の領域１０２ｃのそれぞれは、互いに隣接する２つの絶縁層１６０のうちの一方の絶縁層１６０の端部１６０ａと重なる位置から他方の絶縁層１６０の端部１６０ｂと重なる位置まで広がっている。
【００６２】
領域１０２ａは、第２電極１３０と重なっており、このため、発光装置１０は、領域１０２ａ、領域１０２ｂ及び領域１０２ｃと重なる領域のうち、領域１０２ａと重なる領域で最も低い光線透過率を有している。領域１０２ｃは、第２電極１３０及び絶縁層１６０のいずれとも重なっておらず、このため、発光装置１０は、領域１０２ａ、領域１０２ｂ及び領域１０２ｃと重なる領域のうち、領域１０２ｃと重なる領域で最も高い光線透過率を有している。領域１０２ｂは、第２電極１３０と重ならず絶縁層１６０と重なっており、このため、発光装置１０は、領域１０２ｂと重なる領域においては、領域１０２ａと重なる領域における光線透過率よりも高く、かつ領域１０２ｃと重なる領域における光線透過率よりも低い光線透過率を有している。
【００６３】
上述した構成においては、発光装置１０の全体としての光線透過率が高いものとなっている。詳細には、光線透過率の高い領域の幅、すなわち、領域１０２ｃの幅ｄ３が広くなっており、具体的には、領域１０２ｃの幅ｄ３は、領域１０２ｂの幅ｄ２よりも広くなっている（ｄ３＞ｄ２）。このようにして、発光装置１０の全体としての光線透過率は、高いものとなっている。
【００６４】
上述した構成においては、発光装置１０が特定の波長の光を多く吸収することが防止されている。詳細には、光が絶縁層１６０を透過する領域の幅、すなわち、領域１０２ｂの幅ｄ２が狭くなっており、具体的には、領域１０２ｂの幅ｄ２は、領域１０２ｃの幅ｄ３よりも狭くなっている（ｄ２＜ｄ３）。絶縁層１６０は、特定の波長の光を吸収することがある。このような場合においても、上述した構成においては、絶縁層１６０を透過する光の量を少なくすることができる。このようにして、発光装置１０が特定の波長の光を多く吸収することが防止されている。
【００６５】
なお、領域１０２ｃの幅ｄ３は、領域１０２ａの幅ｄ１よりも広くてもよいし（ｄ３＞ｄ１）、領域１０２ａの幅ｄ１よりも狭くてもよいし（ｄ３＜ｄ１）、又は領域１０２ａの幅ｄ１と等しくてもよい（ｄ３＝ｄ１）。
【００６６】
一例において、領域１０２ａの幅ｄ１に対する領域１０２ｂの幅ｄ２の比ｄ２／ｄ１は、０以上０．２以下であり（０≦ｄ２／ｄ１≦０．２）、領域１０２ａの幅ｄ１に対する領域１０２ｃの幅ｄ３の比ｄ３／ｄ１は、０．３以上２以下である（０．３≦ｄ３／ｄ１≦２）。より具体的には、一例において、領域１０２ａの幅ｄ１は、５０μｍ以上５００μｍ以下であり、領域１０２ｂの幅ｄ２は、０μｍ以上１００μｍ以下であり、領域１０２ｃの幅ｄ３は、１５μｍ以上１０００μｍ以下である。
【００６７】
発光装置１０は、半透過ＯＬＥＤとして機能している。具体的には、第２電極１３０と重ならない領域は、透光部１５４として機能している。このようにして、発光装置１０では、複数の発光部１５２及び複数の透光部１５４が交互に並んでいる。複数の発光部１５２から光が発せられていない場合、人間の視覚では、第１面１０２側の物体が第２面１０４側から透けて見え、第２面１０４側の物体が第１面１０２側から透けて見える。さらに、複数の発光部１５２からの光は、第２面１０４側から主に出力され、第１面１０２側からはほとんど出力されない。複数の発光部１５２から光が発せられている場合、人間の視覚では、第２面１０４側の物体が第１面１０２側から透けて見える。
【００６８】
一例において、発光装置１０は、自動車のハイマウントストップランプとして用いることができる。この場合、発光装置１０は、自動車のリアウインドウに貼り付けることができる。さらに、この場合、発光装置１０は、例えば、赤色の光を発する。
【００６９】
次に、図４から図７に示した発光装置１０の製造方法について説明する。
【００７０】
まず、基板１００の第１面１０２上に、透明反射層１４０を形成する。次いで、第１電極１１０、第１接続部１１２及び第２接続部１３２を形成する。一例において、第１電極１１０、第１接続部１１２及び第２接続部１３２は、スパッタリングにより形成された導電層をパターニングすることにより形成される。
【００７１】
次いで、絶縁層１６０を形成する。一例において、絶縁層１６０は、基板１００の第１面１０２上に塗布された感光性樹脂をパターニングすることにより形成される。
【００７２】
次いで、有機層１２０を形成する。一例において、有機層１２０は、蒸着により形成される。他の例において、有機層１２０は、塗布により形成されてもよい。この場合、絶縁層１６０の開口１６２内に有機層１２０の材料を塗布する。
【００７３】
次いで、第２電極１３０を形成する。一例において、第２電極１３０は、マスクを用いた真空蒸着により形成される。
【００７４】
このようにして、図４から図７に示した発光装置１０が製造される。
【００７５】
本実施例においても、ＭＣ構造をＭＰＥ構造に適用する際に高輝度を得るための各層の膜厚の公差を簡易な設計で大きくすることができる。
【００７６】
以上、図面を参照して実施形態及び実施例について述べたが、これらは本発明の例示であり、上記以外の様々な構成を採用することもできる。
【符号の説明】
【００７７】
１０  発光装置
１００  基板
１０２  第１面
１０２ａ  領域
１０２ｂ  領域
１０２ｃ  領域
１０４  第２面
１１０  第１電極
１１２  第１接続部
１１４  第１配線
１２０  有機層
１３０  第２電極
１３０ａ  端部
１３０ｂ  端部
１３２  第２接続部
１３４  第２配線
１４０  透明反射層
１５２  発光部
１５４  透光部
１６０  絶縁層
１６０ａ  端部
１６０ｂ  端部
１６２  開口
２１２  有機層
２１４  有機層
２１６  有機層
２２２  ＥＭＬ
２２４  ＥＭＬ
３０２  ＣＧＬ
３０４  層
３０６  層
３１０  発光ユニット
３２０  発光ユニット
【図１】
2018098024.tif 000003
【図２】
2018098024.tif 000004
【図３】
2018098024.tif 000005
【図４】
2018098024.tif 000006
【図５】
2018098024.tif 000007
【図６】
2018098024.tif 000008
【図７】
2018098024.tif 000009